(57)【要約】【課題】  印刷待ち時間に顧客の関心の高い情報を提供し、印刷待ち時間の有効活用を図ることが可能な画像印刷販売装置を提供する。【解決手段】  本発明に係るプリントベンダー１によれば、画像データのファイルが記録媒体読出装置１８から読み出されると、機種情報管理ＤＢ１７１が参照され、印刷対象の画像ファイルの付帯情報に含まれる、当該画像を撮影した撮影装置の機種情報に基づいて、撮影装置の「メーカ名」「機種名」「通信事業者名」が特定される。そして、コンテンツ管理ＤＢ１７２に格納されているコンテンツデータが順次検索され、特定された「メーカ名」「機種名」「通信事業者名」に対する適合度数が算出され、最も適合度数の高いコンテンツデータが選択され、印刷装置１６における印刷時間中に、選択されたコンテンツデータが表示装置１２の表示画面に表示される。【選択図】図２
2005327100.tif 000002
【特許請求の範囲】
【請求項１】
画像データを印刷し販売する画像印刷販売装置であって、
撮影装置に関連する広告データを記憶する記憶手段と、
広告データを表示する表示手段と、
画像データ及び当該画像データを撮影した撮影装置の種類を識別するための識別情報を取得する取得手段と、
前記取得された画像データを印刷させることに応じて、前記取得された識別情報に基づいて、当該画像データを撮影した撮影装置の種類に適合する広告データを選択し、この選択された広告データを前記記憶手段から読み出して、前記表示手段の表示画面上に表示する制御手段と、
を備えたことを特徴とする画像印刷販売装置。
【請求項２】
前記撮影装置の種類を識別するための識別情報は、前記撮影装置で撮影された画像データのファイルの付加情報に含まれていることを特徴とする請求項１に記載の画像印刷販売装置。
【請求項３】
前記識別情報は、前記撮影装置の機種名及びメーカ名を特定可能な情報であり、
前記制御手段は、前記取得された画像データを印刷させることに応じて、前記取得された識別情報に基づいて、当該画像データを撮影した撮影装置の機種及びメーカに適合する広告データを選択し、この選択された広告データを前記記憶手段から読み出して、前記表示手段の表示画面上に表示することを特徴とする請求項１又は２に記載の画像印刷販売装置。
【請求項４】
前記撮影装置は携帯電話機能を備え、
前記識別情報は、当該撮影装置の機種名、メーカ名及び前記携帯電話機能に対応する通信事業者名を特定可能な情報であり、
前記制御手段は、前記取得された画像データを印刷させることに応じて、前記取得された識別情報に基づいて、当該画像データを撮影した撮影装置の機種、メーカ及び通信事業者に適合する広告データを選択し、この選択された広告データを前記記憶手段から読み出して、前記表示手段の表示画面上に表示することを特徴とする請求項１又は２に記載の画像印刷販売装置。
【請求項５】
前記記憶手段は、一つの広告内容について表示時間の異なる複数の広告データを記憶し、
前記制御手段は、前記取得された画像データの印刷時間に応じた表示時間の広告データを選択すること特徴とする請求項１〜４の何れか一項に記載の画像印刷販売装置。
【請求項６】
画像データを印刷し販売する画像印刷販売装置を制御するためのコンピュータに、
撮影装置に関連する広告データを記憶する機能と、
広告データを表示する機能と、
画像データ及び当該画像データを撮影した撮影装置の種類を識別するための識別情報を取得する機能と、
前記取得された画像データを印刷させることに応じて、前記取得された識別情報に基づいて、当該画像データを撮影した撮影装置の種類に適合する広告データを選択し、この選択された広告データを読み出して、前記表示する機能を用いて表示するよう制御する機能と、
を実現させるためのプログラム。
【発明の詳細な説明】
【技術分野】
【０００１】
本発明は、デジタルカメラ、カメラ付き携帯電話機等の撮影装置から供給された画像データを印刷して販売する画像印刷販売装置及びプログラムに関する。
【背景技術】
【０００２】
従来から、顧客と自動で取引をして、メモリーカード等の記録媒体から読み込まれた画像を印刷して販売する画像印刷販売装置が街頭や建物内に設置され、普及している（例えば、特許文献１参照）。
【０００３】
また、顧客と自動取引を行って商品販売を行う自動販売機において、外扉の一画に設けられたディスプレイ室に商品宣伝用の絵文字を印刷した広告パネルを掲示する技術が知られている（例えば、特許文献２参照）。
【特許文献１】特許第２７０８１９９号公報
【特許文献２】特開平７−２１９４６１号公報
【発明の開示】
【発明が解決しようとする課題】
【０００４】
画像印刷販売装置では、顧客は装置の前で印刷完了を待たなければならない。印刷枚数や印刷サイズによってはこの待ち時間はかなり長くなるが、従来、顧客はただ印刷終了を待つしかなく、待ち時間を有効に利用することができなかった。特許文献２に記載のように、画像印刷販売装置の外扉に広告パネルを表示したとしても、顧客の一人一人の関心に応じて表示を変更することはできないため、顧客にとって関心のない広告が表示されている場合には、やはり待ち時間を有効に利用することができなかった。
【０００５】
本発明の課題は、印刷待ち時間に顧客の関心の高い情報を提供し、印刷待ち時間の有効活用を図ることが可能な画像印刷販売装置を提供することである。
【課題を解決するための手段】
【０００６】
上記課題を解決するため、請求項１に記載の発明は、
画像データを印刷し販売する画像印刷販売装置であって、
撮影装置に関連する広告データを記憶する記憶手段と、
広告データを表示する表示手段と、
画像データ及び当該画像データを撮影した撮影装置の種類を識別するための識別情報を取得する取得手段と、
前記取得された画像データを印刷させることに応じて、前記取得された識別情報に基づいて、当該画像データを撮影した撮影装置の種類に適合する広告データを選択し、この選択された広告データを前記記憶手段から読み出して、前記表示手段の表示画面上に表示する制御手段と、
を備えたことを特徴としている。
【０００７】
請求項６に記載の発明は、
画像データを印刷し販売する画像印刷販売装置を制御するためのコンピュータに、
広告データを表示する機能と、
撮影装置に関連する広告データを記憶する機能と、
画像データ及び当該画像データを撮影した撮影装置の種類を識別するための識別情報を取得する機能と、
前記取得された画像データを印刷させることに応じて、前記取得された識別情報に基づいて、当該画像データを撮影した撮影装置の種類に適合する広告データを選択し、この選択された広告データを読み出して、前記表示する機能を用いて表示するよう制御する機能と、
を実現させるためのプログラムであることを特徴としている。
【発明の効果】
【０００８】
請求項１、６に記載の発明によれば、画像データ及び当該画像データを撮影した撮影装置の種類を識別するための識別情報を取得し、取得された画像データを印刷させることに応じて、取得された識別情報に基づいて、当該画像データを撮影した撮影装置の種類に適合する広告データを選択し、この選択された広告データを撮影装置に関連する広告データを表示画面上に表示する。従って、印刷待ち時間に、顧客の関心の高い、顧客が使用する撮影装置に関する広告情報を表示画面上に表示するので、顧客が印刷待ち時間の有効利用を図ることが可能となる。
【０００９】
請求項２に記載の発明によれば、撮影装置の種類を識別するための識別情報は、撮影された画像データのファイルの付加情報から容易に取得することが可能となる。
【００１０】
請求項３に記載の発明によれば、取得された画像データを印刷させることに応じて、取得された識別情報に基づいて当該画像データを撮影した撮影装置の機種及びメーカに適合する広告データを選択し、この選択された広告データを記憶手段から読み出して表示手段の表示画面上に表示する。従って、印刷待ち時間に、顧客の関心の高い、顧客が使用する撮影装置の機種、メーカに適合する広告情報を表示画面上に表示するので、顧客が印刷待ち時間の有効利用を図ることが可能となる。
【００１１】
請求項４に記載の発明によれば、撮影装置は携帯電話機能を備え、取得された画像データを印刷させることに応じて、取得された識別情報に基づいて、当該画像データを撮影した撮影装置の機種、メーカ及び通信事業者に適合した広告データを選択し、この選択された広告データを記憶手段から読み出して表示手段の表示画面上に表示する。従って、印刷待ち時間に、顧客の関心の高い、顧客が使用する撮影装置の機種、メーカ、通信事業者に適合する広告情報を表示画面上に表示するので、顧客が印刷待ち時間の有効利用を図ることが可能となる。
【００１２】
請求項５に記載の発明によれば、記憶手段には、一つの広告内容について表示時間の異なる複数の広告データを記憶されており、制御手段は、取得された画像データの印刷時間に応じた表示時間の広告データを選択するので、印刷時間に応じた広告情報を表示することが可能となる。
【発明を実施するための最良の形態】
【００１３】
以下、図を参照して本発明の実施形態を詳細に説明する。
まず、構成を説明する。
図１に、本発明の実施形態の全体構成及び本発明に係るプリントベンダー１の外観を示す。図１に示すように、プリントベンダー１には、表示画面１２１、紙幣投入口１５１、返却レバー１５２、コイン投入口１５３、おつり返却口１５４、写真受取口１６１、レシート出力口１６２、記録媒体挿入口１８１等が設けられている。
【００１４】
プリントベンダー１は、例えば、写真店、コンビニエンスストア、街角等ユーザが利用しやすい場所に設置され、デジタルカメラ、カメラ付き携帯電話機、ＰＤＡ（Personal Digital Assistants）等の撮影装置から記録媒体を介して取得された画像データのうち指定された画像を指定されたスタイルで指定された枚数分写真プリントして出力する画像印刷販売装置である。
【００１５】
図２にプリントベンダー１の機能的構成を示す。図２に示すように、プリントベンダー１は、ＣＰＵ１０、入力装置１１、表示装置１２、ＲＡＭ１３、伝送制御部１４、金銭授受装置１５、印刷装置１６、記録装置１７、記録媒体読出装置１８等により構成され、各装置及び各部はバス１９により接続されている。
【００１６】
ＣＰＵ（Central Processing Unit）１０は、記録装置１７に記憶されているシステムプログラムを読み出し、ＲＡＭ１３内に形成されたワークエリアに展開し、該システムプログラムに従って各部を制御する。また、ＣＰＵ１０は、記録装置１７に記憶されているプリント販売処理プログラムを始めとする各種処理プログラムを読み出してワークエリアに展開し、後述するプリント販売処理（図４参照）等を始めとする各種処理を実行する。
【００１７】
入力装置１１は、例えば、表示装置１２と一体的に構成されるタッチパネルにより構成され、表示装置１２の表示画面１２１におけるユーザからのタッチ入力を受け付け、その入力信号をＣＰＵ１０に出力する。
【００１８】
表示装置１２は、ＬＣＤ（Liquid Crystal Display）等からなる表示画面１２１により構成され、ＣＰＵ１０から入力される表示信号の指示に従って、表示画面１２１上に、各種操作画面やコンテンツを始めとする各種情報を表示する。
【００１９】
ＲＡＭ（Random Access Memory）１３は、ＣＰＵ１０により実行されるシステムプログラム、各種処理プログラム、各処理において処理中のデータ、処理結果などを一時的に記憶するワークエリアを形成する。
【００２０】
伝送制御部１４は、モデム（ＭＯＤＥＭ：MOdulater/DEModulater）またはターミナルアダプタ（ＴＡ：Terminal Adapter）、ネットワークカード等によって構成され、ＷＡＮ（Wide Area Network）やＬＡＮ（Local Area Network）等の通信ネットワークを介して外部機器との通信を行うための制御を行う。
【００２１】
金銭授受装置１５は、紙幣投入口１５１、コイン投入口１５３から投入された紙幣やコインを授受してその投入金額を判定し、ＣＰＵ１０に出力する。また、ＣＰＵ１０から入力されたプリント料金と投入金額に基づいて返金額を算出し、その返金額に相当するつり銭をおつり返却口１５４から返却する。
【００２２】
印刷装置１６は、単数あるいは複数のプリンタを備え、記録媒体読出装置１８により記録媒体から読み出された画像データに応じて変調した光ビームで感光材料（印画紙、シール）を走査露光して潜像を記録し、露光済みの感光材料に湿式の現像処理や乾燥処理を施して、仕上がりプリントとして写真受取口１６１に出力する。また、印刷装置１６は、レシートの印刷を行い、レシート出力口１６２に出力する。
【００２３】
記録装置１７は、プリントベンダー１に対応するシステムプログラム、プリント販売処理プログラムを始めとする各種処理プログラム、各種データ等が予め記憶されている。この記録装置１７は、磁気的、光学的記録媒体、若しくは半導体メモリなどＣＰＵ１０で読取り可能な記録媒体を含んだ構成であり、この記録媒体はＣＤ-ＲＯＭ（Compact Disc Read Only Memory）、メモリカード等の可搬型の媒体やハードディスク等の固定的な媒体を含む。また、記録媒体に格納するプログラム、データ等の一部若しくは全部をサーバやクライアントからＷＡＮ、ＬＡＮ等の通信ネットワークを介して受信する構成にしてもよく、更に、記録媒体は通信ネットワーク上に構築されたサーバやクライアントの記録媒体であってもよい。
【００２４】
本実施の形態において、記録装置１７は、図２に示すように、機種情報管理ＤＢ（Data Base）１７１、コンテンツ管理ＤＢ１７２を記憶している。
機種情報管理ＤＢ１７１は、画像データのファイルに含まれる、その画像データを撮影した撮影装置の機種名を示す識別情報から撮影装置のメーカ名、撮影装置が携帯電話機やＰＨＳの場合は撮影装置のメーカ名及びその通信事業者名を特定するために、図３に示すように、画像ファイルに含まれる撮影装置の機種名を示す識別情報（例えば、Ａ-ｘｘｘ、Ｂ△△△、Ｕ-ｘｘｘＣ、・・・）と、その識別情報により特定されるメーカ名を示す情報（例えば、Ａ社、Ｂ社、Ｃ社、・・・）、その識別情報により特定される通信事業者名を示す情報（例えば、通信事業者Ｓ、通信事業者Ｔ、通信事業者Ｕ、・・・）を対応付けて記憶するデータベースである。
【００２５】
コンテンツ管理ＤＢ１７２は、記憶手段であり、印刷装置１６における印刷中に表示画面１２１上に表示するための広告データ（以下、コンテンツデータと称する）を複数記憶するＤＢである。コンテンツデータは、撮影装置に関連するものであり、例えば、撮影装置のメーカや通信事業者が主催するキャンペーン情報やイベント情報、新機種の紹介、機種別のオプション製品の紹介、機種別の機能解説、機種別の使い方のコツ等が挙げられる。
【００２６】
コンテンツ管理ＤＢ１７２に記憶されている各コンテンツデータには、各コンテンツデータを識別するためのコンテンツＩＤが付され、管理されている。また、各コンテンツデータには、そのコンテンツデータの作成日時、コンテンツの表示時間等の情報や、当該コンテンツデータに対して予め定義されている撮影装置のメーカ別、機種別、通信事業者別の適合度情報が対応付けて記憶されている。
【００２７】
例えば、コンテンツ管理ＤＢ１７２はディレクトリ構造を有し、コンテンツＩＤが付されたディレクトリ内に、そのコンテンツＩＤにより識別されるコンテンツデータ、そのコンテンツデータの作成日時やコンテンツの表示時間等を示す付帯情報、撮影装置の各メーカ名を示す情報と各メーカに対するそのコンテンツデータの適合度数を示す適合度情報とを対応付けて記憶するメーカ別適合度テーブル、撮影装置の各機種名を示す情報と各機種に対するそのコンテンツデータの適合度数を示す適合度情報とを対応付けて記憶する機種別適合度テーブル、撮影装置の各通信事業者名を示す情報と各通信事業者に対するそのコンテンツデータの適合度数を示す適合度情報とを対応付けて記憶する通信事業者別適合度テーブル等が格納されている。なお、コンテンツ管理ＤＢ１７２のデータ格納構造はこれに特に限定されない。
【００２８】
記録媒体読出装置１８は、例えばフラッシュメモリカード、スマートメディアカード、フロッピー（登録商標）ディスク、ＣＤ（Compact Disk）等の各種記録媒体に対応した記録媒体挿入口１８１を備え、記録媒体挿入口１８１に装着された記録媒体から画像データを読み出して取得する。なお、記録媒体としては上述したものに限らず、例えばＳＤ（Secure Digital）カード、ＰＣカード、ＭＯ（Magneto Optic）等、その他の半導体メモリ、磁気的又は光学的記録媒体であってもよい。
【００２９】
次に、本実施の形態の動作を説明する。
図４に、プリントベンダー１のＣＰＵ１０により実行されるプリント販売処理を示す。当該処理及びその処理において実行される各処理は、ＣＰＵ１０と記録装置１７に記録されたプログラムとの協働によるソフトウエア処理により実現されるものであり、これらの処理により制御手段が実現される。
【００３０】
図４に示すプリント販売処理では、まず記録媒体が記録媒体挿入口１８１に装着されたか否かが判別され（ステップＳ１）、記録媒体が装着されたと判別されると（ステップＳ１；ＹＥＳ）、記録媒体読出装置１８により記録媒体挿入口１８１に装着された記録媒体から画像データのファイルが読み出されて取得され、ＲＡＭ１３に記憶される（ステップＳ２）。
【００３１】
次いで、ＲＡＭ１３に記憶された画像データを用いてそのサムネイル画像が作成され（ステップＳ３）、表示画面１２１上にサムネイル画像の一覧画面が表示される。この一覧画面上から印刷対象のサムネイル画像が選択入力されると（ステップＳ４）、印刷サイズ、印刷スタイル等の印刷種類を選択するための操作画面が表示画面１２１上に表示される。
【００３２】
次いで、操作画面上から印刷種類が選択入力されると（ステップＳ５）、印刷枚数を選択するための操作画面が表示画面１２１上に表示される。この操作画面においてさらに印刷枚数が選択入力されると（ステップＳ６）、選択された印刷種類、印刷枚数に応じて印刷料金が算出され、当該印刷料金を投入するようガイダンスが行われる。そして、紙幣投入口１５１、コイン投入口１５３を介して印刷料金が入金されると、印刷料金と入金額との差額が有ればその差額が返金額として算出され、返金額に応じた金銭がおつり返金口１５４に排出される（ステップＳ７）。
【００３３】
次いで、印刷対象として選択されたサムネイル画像に対応する画像データが印刷データとしてＲＡＭ１３から読み出され、当該印刷データが選択された印刷種類や印刷枚数等の印刷指示情報とともに印刷装置１６に転送され、印刷処理が起動される（ステップＳ８）。
【００３４】
印刷装置１６においては、印刷処理に従って、転送された印刷データ及び印刷指示情報に基づいて１枚ずつ画像の印刷が実行される（Ｔ１）。転送された印刷データ及び印刷指示情報に基づく全ての印刷が終了するまで印刷が繰り返し実行され（ステップＴ２；ＮＯ）、全ての印刷が終了すると（ステップＴ２；ＹＥＳ）、印刷処理は終了する。
【００３５】
一方、記録媒体挿入口１８１に装着された記録媒体から読み出された画像データのファイル、例えば、Exif（Exchangeable Image File Format）形式のファイルには、付帯情報として、画像を撮影した撮影装置（デジタルカメラ、カメラ付き携帯電話機、ＰＤＡ等の撮影装置）の種類を識別するための識別情報が含まれており、この識別情報及び機種情報管理ＤＢ１７１に基づいて、当該画像データを撮影した撮影装置の「メーカ名」、「機種名」、「通信事業者名」がそれぞれ特定される（ステップＳ９）。そして、コンテンツ選択処理（図５参照）が実行される（ステップＳ１０）。
【００３６】
図５は、ステップＳ１０において実行されるコンテンツ選択処理を示すフローチャートである。
図５のコンテンツ選択処理において、まず、ＲＡＭ１３に形成された最適コンテンツ格納領域が初期化される（ステップＳ１０１）。次いで、コンテンツ管理ＤＢ１７２に記憶されているコンテンツデータが１つ１つ順次検索され（ステップＳ１０２）、図６に示す適合度数算出処理が実行される（ステップＳ１０３）。
【００３７】
図６は、ステップＳ１０３において実行される適合度数算出処理を示すフローチャートである。
図６の適合度数算出処理において、まず、ＲＡＭ１３に形成された適合度数格納領域がゼロクリアされる（ステップＳ２０１）。次いで、ステップＳ１０２で検索されたコンテンツデータに対して予め定義されている、図４のステップＳ９で特定された「機種名」に対する適合度情報の取得が行われる（ステップＳ２０２）。図４のステップＳ９で特定された「機種名」に対する適合度情報がない場合には（ステップＳ２０３；ＮＯ）、処理はステップＳ２０５に移行する。図４のステップＳ９で特定された「機種名」に対する適合度情報が取得された場合には（ステップＳ２０３；ＹＥＳ）、当該適合度情報で示される適合度数の値が適合度数格納領域に格納されている値に加算され（ステップＳ２０４）、処理はステップＳ２０５に移行する。
【００３８】
ステップＳ２０５において、ステップＳ１０２で検索されたコンテンツデータに対して予め定義されている、図４のステップＳ９で特定された「メーカ名」に対応する適合度情報の取得が行われる。図４のステップＳ９で特定された「メーカ名」に対する適合度情報がない場合には（ステップＳ２０６；ＮＯ）、処理はステップＳ２０８に移行する。図４のステップＳ９で特定された「メーカ名」に対する適合度情報が取得された場合には（ステップＳ２０６；ＹＥＳ）、当該適合度情報で示される適合度数の値が適合度数格納領域に格納されている値に加算され（ステップＳ２０７）、処理はステップＳ２０８に移行する。
【００３９】
ステップＳ２０８において、ステップＳ１０２で検索されたコンテンツデータに対して予め定義されている、図４のステップＳ９で特定された「通信事業者名」に対応する適合度情報の取得が行われる。図４のステップＳ９で特定された「通信事業者名」に対する適合度情報がない場合には（ステップＳ２０９；ＮＯ）、処理はステップＳ２１１に移行する。図４のステップＳ９で特定された「通信事業者名」に対する適合度情報が取得された場合には（ステップＳ２０９；ＹＥＳ）、当該適合度情報で示される適合度数の値が適合度数格納領域に格納されている値に加算され（ステップＳ２１０）、処理はステップＳ２１１に移行する。
【００４０】
なお、例えば、撮影装置がカメラ付き携帯電話機でなく、図４のステップＳ９で「通信事業者名」が特定されなかった場合は、ステップＳ２０８〜２１０は省略される。
【００４１】
ステップＳ２１１においては、ＲＡＭ１３の適合度数格納領域に格納された適合度の値がコンテンツ選択処理に出力され（ステップＳ２１１）、本処理は終了する。
【００４２】
図５のステップＳ１０４において、上述の適合度数算出処理で算出された適合度数がこれまでに算出された適合度数の最高値であるか否かが判断される。例えば、ＲＡＭ１３の最適コンテンツ格納領域に既にコンテンツＩＤ及びその適合度数が格納されている場合、その適合度数とステップＳ１０３で算出された適合度数とが比較され、算出された適合度数が大きい場合に、当該算出された適合度数が最高値であると判断される。当該算出された適合度数が最高値である場合は（ステップＳ１０４；ＹＥＳ）、最適コンテンツ格納領域のデータがステップＳ１０２で検索されたコンテンツデータのコンテンツＩＤ及びステップＳ１０３で算出された適合度数を示すデータに更新される（ステップＳ１０５）。
【００４３】
なお、最適コンテンツ格納領域の適合度数とステップＳ１０３で算出された適合度数が等しい場合は、コンテンツデータに含まれる作成日時を比較し、より新しいコンテンツを最適コンテンツとすることが望ましい。
【００４４】
コンテンツ管理ＤＢ１７２に格納されている全てのコンテンツに対してステップＳ１０２〜ステップＳ１０５が繰り返し実行され、全てのコンテンツに対して終了すると（ステップＳ１０６；ＹＥＳ）、最適コンテンツ格納領域に格納されているコンテンツＩＤがプリント販売処理に出力される（ステップＳ１０７）。
【００４５】
上述のコンテンツ選択処理により適合度数が最高の、即ち、撮影装置の種類に対して最適なコンテンツが選択されると、図４のプリント販売処理において、この選択されたコンテンツデータが読み出されて表示装置１２の表示画面１２１上に表示されるとともに（ステップＳ１１）、印刷処理が監視される（ステップＳ１２）。印刷処理が終了するまで（ステップＳ１３；ＮＯ）、ステップＳ１１、Ｓ１２が繰り返し実行され、印刷処理が終了し（ステップＳ１３；ＹＥＳ）、入力装置１１から記録媒体を替えずに続けて印刷する指示が入力されると（ステップＳ１４；ＹＥＳ）、処理はステップＳ４に戻り、ステップＳ４〜１４が繰り返し実行される。印刷処理が終了し（ステップＳ１３；ＹＥＳ）、入力装置１１から当該記録媒体からの印刷を終了する指示が入力されると（ステップＳ１４；ＮＯ）、処理はステップＳ１に戻り、プリントベンダー１の次の利用が待機される。
なお、ステップＳ１３で印刷処理の終了が検出されるまで間にコンテンツデータを表示する以外に、印刷処理終了後においても一定時間、あるいは、お客がいる事を検出している間などにコンテンツデータの表示を続行してもよく、また、予め機種名を取得できるようにすれば印刷開始前であってもコンテンツデータを表示することができる。即ち、少なくとも印刷処理期間を含む間においてコンテンツデータの表示がなされるようにすればよい。
【００４６】
以上説明したように、プリントベンダー１によれば、画像データのファイルが記録媒体読出装置１８から読み出されると、機種情報管理ＤＢ１７１が参照され、印刷対象の画像ファイルの付帯情報に含まれる、当該画像を撮影した撮影装置の機種情報に基づいて、撮影装置の「メーカ名」「機種名」「通信事業者名」が特定される。そして、コンテンツ管理ＤＢ１７２に格納されているコンテンツデータが順次検索され、特定された「メーカ名」「機種名」「通信事業者名」に対する適合度数が算出され、最も適合度数の高いコンテンツデータが表示対象としてのコンテンツデータとして選択され、印刷装置１６における印刷時間中に、選択されたコンテンツデータが表示画面１２１に表示される。
【００４７】
従って、顧客の印刷待ち時間に、顧客の使用している撮影装置の種類に応じた広告、即ち、顧客の使用している撮影装置の「メーカ」、「機種」、「通信事業者」に応じた広告を表示画面上に表示し、個々の顧客の関心の高い情報を提供することが可能となる。その結果、顧客が印刷の待ち時間を有効活用することが可能となる。
【００４８】
なお、上記実施の形態における記述内容は、本実施の形態における好適な一例であり、これに限定されるものではない。
【００４９】
例えば、上記実施の形態においては、プリントベンダー１は、撮影装置からの画像データ及び識別情報を記録媒体から読み出すことにより取得することとして説明したが、ＵＳＢ（Universal Serial Bus）等のシリアル通信ケーブルを介して取得する構成としてもよいし、赤外線通信や通信ネットワークを介して取得する構成としてもよい。また、画像データを撮影した撮影装置の識別情報は、画像データのファイルの付帯情報に含まれることとしたが、これに限定されず、例えば、撮影装置側で記録媒体の所定の記憶場所に識別情報を設定しておき、プリントベンダー１がその所定の記憶場所から識別情報を読み出すこととしてもよい。
【００５０】
また、一つの内容のコンテンツについて、何種類かの表示時間のコンテンツデータを用意してコンテンツ管理ＤＢ１７２に記憶しておき、印刷対象として選択された画像数や印刷枚数、画像サイズ等に基づいて印刷時間を推定し、選択されたコンテンツを表示する際に、印刷時間に応じたコンテンツデータを表示するようにすることで、印刷時間に応じた、即ち、顧客の印刷待ち時間に応じたより適切なコンテンツを提供することが可能となる。
【００５１】
また、画像データ取得後に表示したコンテンツのコンテンツＩＤをＲＡＭ１３上に格納しておき、ステップＳ１４で続けて印刷することが指示された際に、コンテンツ選択処理のステップＳ１０２におけるコンテンツの検索対象から既に表示されたコンテンツを除外して、未だ表示されていないコンテンツの中から最適なコンテンツを選択することが望ましい。これにより、顧客に対して何度も同じコンテンツばかり表示して顧客を退屈させてしまうといったことがなくなる。
【００５２】
また、上記実施の形態においては、プリントベンダー１がコンテンツデータを格納するコンテンツ管理ＤＢ１７２を備える構成として説明したが、通信ネットワークに接続された管理サーバに機種情報管理ＤＢ、コンテンツ管理ＤＢを備える構成とし、プリントベンダー１が画像ファイルに含まれる識別情報をサーバに送信し、サーバが上記コンテンツ選択処理、適合度数算出処理を行って最適なコンテンツを選択し、選択されたコンテンツデータをコンテンツ管理ＤＢから読み出してプリントベンダー１に送信することが望ましい。これにより、通信ネットワークに接続された複数のプリントベンダー１が個々に機種情報管理ＤＢやコンテンツ管理ＤＢを備える必要がなくなり、また、データの保守、管理も容易となる。
【００５３】
また、上記実施の形態においては、メーカに関する適合度情報、機種に対する適合度情報、通信事業者に対する適合度情報を加算し、最も適合度数の高いコンテンツを選択することとしたが、例えば、メーカ、機種、通信事業者に優先順位をつけ、表示対象として優先順位の高いものの適合度数が最も高いコンテンツを選択することとしてもよい。また、優先順位に従って、それぞれの適合度数に重み付けをして加算し、加算結果が最も高いコンテンツを選択するようにしてもよい。
【００５４】
その他、プリントベンダー１の細部構成及び細部動作に関しても、本発明の趣旨を逸脱することのない範囲で適宜変更可能である。
【図面の簡単な説明】
【００５５】
【図１】本発明に係るプリントベンダー１の外観を示す図である。
【図２】図１のプリントベンダー１の機能的構成を示すブロック図である。
【図３】図２の機種情報管理ＤＢ１７１のデータ格納例を示す図である。
【図４】図２のＣＰＵ１０により実行されるプリント販売処理を示すフローチャートである。
【図５】図２のＣＰＵ１０により実行されるコンテンツ選択処理を示すフローチャートである。
【図６】図２のＣＰＵ１０により実行される適合度数算出処理を示すフローチャートである。
【符号の説明】
【００５６】
１  プリントベンダー
１０  ＣＰＵ
１１  入力装置
１２  表示装置
１３  ＲＡＭ
１４  伝送制御部
１５  金銭授受装置
１６  印刷装置
１７  記録装置
１７１  機種情報管理ＤＢ
１７２  コンテンツ管理ＤＢ
１８  記録媒体読出装置
１９  バス
【図１】
2005327100.tif 000003
【図２】
2005327100.tif 000004
【図３】
2005327100.tif 000005
【図４】
2005327100.tif 000006
【図５】
2005327100.tif 000007
【図６】
2005327100.tif 000008